(57)【要約】【課題】  キー入力による認証方法において、一度のキー入力操作により認証ができないという問題点があった。【解決手段】  本発明のキー入力認証方法は、複数のキーを同時に押下されたことにより、ユーザ名やパスワードの際の入力とする。通常ＰＣに用いられるフルキーボードでも複数のロールオーバー（同時キー入力）が可能なものがあるので、フルキーボードを用いてＰＣ上での認証が行える。また、複数入力可能な専用のキーボードを用いても良い。画像形成装置の入力パネル位置に複数のキーを表示させて、複数キー入力をすることによりユーザ認証や、印刷データの出力のための認証に用いる。【選択図】図１
2008152757.tif 000002
【特許請求の範囲】
【請求項１】
キー入力による入力認証情報を、あらかじめ記録された記録認証情報と比較することで認証を行う認証方法において、
所定の複数のキーを同時に押下する同時押下ステップを備え、
前記同時押下ステップにより入力された同時入力情報を前記入力認証情報の少なくとも一部とする
ことを特徴とする認証方法。
【請求項２】
請求項１の認証方法であって、
前記同時押下ステップは、複数ステップ備えられた
ことを特徴とする認証方法。
【請求項３】
請求項１または２の認証方法であって、
所定の文字列を順次キー入力する順次押下ステップを備え、
前記順次押下ステップにより入力された順次入力情報を前記入力認証情報に含めた
ことを特徴とする認証方法。
【請求項４】
請求項１から３のいずれかの認証方法であって、
前記キーは、指紋を読み取る指紋読取手段を備え、
前記同時入力認証情報は、前記指紋読取手段で読み取った各キーの指紋情報を含む
ことを特徴とする認証方法。
【請求項５】
キー入力による入力認証情報を予め記録された記録認証情報と比較することで認証を行う画像形成装置において、
複数のキーの同時入力が可能な入力部と、
前記あらかじめ記録された記録認証情報を保持する認証情報保持部と、
前記入力部から同時入力された複数キーの同時入力情報を前記入力認証情報の少なくとも一部として前記記録認証情報とを照合するユーザ認証部と、
を有することを特徴とする画像形成装置。
【請求項６】
請求項５記載の画像形成装置であって、
前記入力部は、複数のキーの順次入力が可能で、
前記入力部から順次入力された複数キーの順次入力情報を、前記入力認証情報に含めた、
ことを特徴とする画像形成装置。
【請求項７】
請求項５または６記載の画像形成装置であって、
前記認証情報保持部は、印刷データに含まれる前記記録認証情報を保持し、
前記ユーザ認証部は、前記入力部から入力された前記入力認証情報と前記記録認証情報が一致した場合に、前記印刷データの印刷を許可する
ことを特徴とする画像形成装置。
【請求項８】
請求項５から７のいずれかに記載の画像形成装置であって、
前記キーは、指紋を読み取る指紋読取部を備え、
前記同時入力認証情報は、前記指紋読取部で読み取った各キーの指紋情報を含む
ことを特徴とする画像形成装置。
【発明の詳細な説明】
【技術分野】
【０００１】
キー入力による認証方法において、短時間で簡単に認証を行う技術に関する認証方法。
【背景技術】
【０００２】
従来認証を行う際には、決められたパスワードをキー入力して行う方法（特許文献１参照）や、顔面データを利用する方法（特許文献２参照）や、パスワードを入力する際のキー入力のタイミングをＩＤとパスワードに加えて照合する方法（特許文献３参照）があった。
【０００３】
しかし、特許文献１の方法では、パスワードを順次キー入力して行く煩雑さと時間がかかる問題があった。特許文献２の方法では、顔面データを読み取るための専用のハードウェアが必要であった。特許文献３の方法では、キータイミングを照合データとするにはある程度の長いキー入力が必要であり、特許文献１の方法よりさらにキー入力の煩雑さと時間がかかる問題があった。
【０００４】
また、上記いずれの従来技術でもパスワード入力を一回のキー入力動作で行うことはできなかった。一文字のキー入力で認証を行う方法も可能であるが、キー数しか選択の余地が無く、安全性を確保できなかった。
【０００５】
入力キー押下時の指紋を読み取り、パスワードと指紋とパスワードを入力する際の指の情報を認証データとして利用する方法があった（特許文献４参照）。同方法とパスワードを一度のキー入力で行う方法とを組み合わせることで、より迅速でかつ安全性の高い認証を行うことが可能であるがそのような方法は無かった。
【０００６】
【特許文献１】特開平４−３２９７３０号公報
【特許文献２】特開２００２−１３２７３３号公報
【特許文献３】特開平１０−３４５４号公報
【特許文献４】特開２００６−８５５５９号公報
【発明の開示】
【発明が解決しようとする課題】
【０００７】
解決しようとする問題点は、キー入力による認証方法において、一回のキー入力動作によって安全性を確保した認証を行うことができなかった点である。
【課題を解決するための手段】
【０００８】
本発明の認証方法は、キー入力による入力認証情報を、あらかじめ記録された記録認証情報と比較することで認証を行う認証方法において、所定の複数のキーを同時に押下する同時押下ステップを備え、前記同時押下ステップにより入力された同時入力情報を前記入力認証情報の少なくとも一部とすることを最も主要な特徴とする。
【０００９】
本発明の画像形成装置は、キー入力による入力認証情報を予め記録された記録認証情報と比較することで認証を行う画像形成装置において、複数のキーの同時入力が可能な入力部と前記あらかじめ記録された記録認証情報を保持する認証情報保持部と前記入力部から同時入力された複数キーの同時入力情報を前記入力認証情報の少なくとも一部として前記記録認証情報とを照合するユーザ認証部とを有することを最も主要な特徴とする。
【発明の効果】
【００１０】
本発明の認証方法は、キー入力による入力認証情報を、あらかじめ記録された記録認証情報と比較することで認証を行う認証方法において、所定の複数のキーを同時に押下する同時押下ステップを備え、前記同時押下ステップにより入力された同時入力情報を前記入力認証情報の少なくとも一部とすることを最も主要な特徴とするため、一回のキー入力動作によって安全性を確保した認証を行うことが可能となった。
【００１１】
本発明の画像形成装置は、キー入力による入力認証情報を予め記録された記録認証情報と比較することで認証を行う画像形成装置において、複数のキーの同時入力が可能な入力部と前記あらかじめ記録された記録認証情報を保持する認証情報保持部と前記入力部から同時入力された複数キーの同時入力情報を前記入力認証情報の少なくとも一部として前記記録認証情報とを照合するユーザ認証部とを有することを最も主要な特徴とするため、一回のキー入力動作によって安全性を確保した認証を行うことが可能となった。
【発明を実施するための最良の形態】
【００１２】
複数キーの同時入力が可能なキーボードを用いて、複数キーが同時に押下された情報を認証の情報として用いることにより実現した。
【実施例１】
【００１３】
［構成］
図１は、本発明の実施例に係わる画像形成装置の機能ブロック図及びＰＣ（Personal  Computer）との間の印刷データのやり取りの図である。
【００１４】
画像形成装置１０１は、インターフェース１１１、認証情報保持部１１３、制御記録部１１５、印刷部１１７、ユーザ認証部１１９、タッチパネル１２１（入力部）からなる。
【００１５】
インターフェース１１１は、ＰＣ２０１との間の信号のやり取りを受け持つ。
【００１６】
認証情報保持部１１３は、ユーザ情報と、認証のための複数のキー入力データと指紋情報を記録保持する。
【００１７】
制御記録部１１５は、画像形成装置１０１の各機能ブロックの制御と印刷データの記録を行う。
【００１８】
印刷部１１７は、印刷を行う。
【００１９】
ユーザ認証部１１９は、認証情報保持部１１３が保持するユーザの複数キー入力データとタッチパネル１２１で入力された複数入力キーとを照合して、ユーザの認証を行う。また、印刷データに付加された複数入力キーデータとタッチパネル１２１で入力された複数入力キーとを照合して、印刷データの出力を行おうとするユーザが正当なユーザであるかどうかを認証する。さらに、タッチパネル部の指紋読取部の情報を付加して認証することも可能である。
【００２０】
タッチパネル１２１は、入力部として働き、ユーザ認証や印刷データの出力者の正当性確認のためのユーザからの複数キーの入力を受け付ける。
【００２１】
指紋読取部１２３は、キー入力を受け付けるタッチパネル部上面に取り付けられた二次元センサにより、各キーを押した指紋情報から、キーをどの指で押したのかを同定する。
【００２２】
［ユーザ認証動作、印刷データ認証動作］
画像形成装置１０１は、認証情報保持部１１３にユーザ情報を複数入力キーのデータ（指紋情報を含む）と関連付けて保持しており、ユーザが画像形成装置使用の際に、図２に示すようにタッチパネル部にテンキーを表示させて、その複数のキーを同時に押下することによりユーザ認証を行う。
【００２３】
また、ＰＣ２０１から印刷データを送付する際に、印刷データに複数入力キーのデータをともに送信し（Ｓ１）、そのデータを受信した画像形成装置１０１は、印刷データを制御記録部１１５で保持し、複数入力キーデータを認証保持部１１３で保持して、タッチパネル１２１からユーザが複数キー入力を行って、ユーザ認証部１１９が、入力された複数キーデータと認証情報保持部が記録する印刷データに付随した複数入力キーデータが同じかどうかを照合し、同じであれば印刷データを印刷部１１７に渡して印刷を行う（Ｓ２）。
【００２４】
それぞれのキーが押されたときの指紋を指紋読取部１２３により読み取って指を同定し、あらかじめ記録された記録認証情報中に設定されているキーと指の組み合わせが合致しているかを照合することにより、さらに認証の安全性を高めることができる。
【００２５】
［実施例の効果］
本発明実施例１の画像形成装置により、ユーザ認証及び印刷データの認証が複数キーの同時入力という簡単な方法で迅速に行うことが可能となった。
【００２６】
さらに、押されたキーの指紋認証を行って指を同定することにより安全性を高めた。
【実施例２】
【００２７】
図３は、本発明の認証方法に関わる実施例２のフルキーボードを用いて認証を行う際の図である。
【００２８】
ＰＣなどに接続されて用いられるフルキーボードでは、一般的にロールオーバー（同時キー入力）が可能となっている。人間の指が十指であるので、１０ロールオーバー可能なキーボードを用いることにより、本発明の認証方法で１０キーの同時入力が可能となる。
【００２９】
また、キーボードの制限によりロールオーバー数が１０より少ない場合には、ハードウェアのロールオーバー数に合わせた複数キー入力とする。
【００３０】
一度の同時キー入力だけではなく、異なる同時キー入力を複数回行う方法や、通常の順次キー入力と組み合わせることにより、認証の安全性を高めることができる。
【００３１】
さらに、各キーの上面（指が接する面）に二次元センサによる指紋読取部１２３をとりつけ、それぞれのキーが押されたときの指紋を指紋読取部１２３により読み取って指を同定し、あらかじめ記録された記録認証情報中に設定されているキーと指の組み合わせが合致しているかを照合することにより、さらに認証の安全性を高めることができる。
【００３２】
［実施例の効果］
複数キーの同時入力という、一般的には用いられていない本方法を認証方法とすることにより、悪意あるパスワード攻撃者は、複数同時キー入力という手法を思いつくことができず、認証の安全性は高まった。
【００３３】
各キーの上面に取り付けられた指紋読取部１２３が読み取った指紋情報を照合して指を同定することによりさらに認証の安全性は高まった。
【図面の簡単な説明】
【００３４】
【図１】画像形成装置の機能ブロック図及びＰＣとの間のデータやり取りの図（実施例１）。
【図２】テンキーボードによる複数キー入力の実施時の図である（実施例１）。
【図３】フルキーボードによる複数キー入力の実施時の図である（実施例２）。
【符号の説明】
【００３５】
１０１  画像形成装置
１１１  インターフェース
１１３  認証情報保持部
１１５  制御記録部
１１７  印刷部
１１９  ユーザ認証部
１２１  タッチパネル（入力部）
１２３  指紋読取部
２０１  ＰＣ（Personal  Computer）
３０１  印刷データ
【図１】
2008152757.tif 000003
【図２】
2008152757.tif 000004
【図３】
2008152757.tif 000005